【手続補正書】
【提出日】平成27年2月3日(2015.2.3)
【手続補正１】
【補正対象書類名】特許請求の範囲
【補正対象項目名】全文
【補正方法】変更
【補正の内容】
【特許請求の範囲】
【請求項１】
照明部と、
受信部と、
デフォルトの照明パターンに応じて、前記照明部の照明を制御する制御部と、
を備え、
前記制御部は、前記受信部により照明パターンを受信すると、前記デフォルトの照明パターンに応じた照明とは異なる照明制御を行う、照明装置。
【請求項２】
前記制御部による前記デフォルトの照明パターンに応じた前記照明部の照明制御は、他の照明部の照明制御と略同期した照明制御である、請求項１に記載の照明装置。
【請求項３】
前記制御部は、前記受信部により受信した照明パターンに応じて、少なくとも照明のＯＮ／ＯＦＦ、照明の色、または照明の明るさを制御する、請求項１または２に記載の照明装置。
【請求項４】
前記デフォルトの照明パターンは、予め所定の記憶媒体に記憶されている、請求項１〜３のいずれか１項に記載の照明装置。
【請求項５】
前記照明装置は、オーディオ再生部をさらに備え、
前記受信部は、オーディオ信号を受信し、
前記制御部は、前記受信部により受信した前記オーディオ信号を前記オーディオ再生部から出力させるよう制御する、請求項１〜４のいずれか１項に記載の照明装置。
【請求項６】
前記照明装置は、オーディオ再生部をさらに備え、
前記受信部は、前記照明パターンとしてオーディオ信号を受信し、
前記制御部は、前記受信部により受信した前記オーディオ信号のパターンに応じて、前記照明部の照明を制御し、さらに前記オーディオ信号を前記オーディオ再生部から出力させるよう制御する、請求項１〜５のいずれか１項に記載の照明装置。
【請求項７】
前記受信部は、前記オーディオ信号と共に課金情報を受信し、
前記制御部は、前記受信部により受信した前記課金情報に基づいて、料金支払いが行われていることを確認できた場合、前記オーディオ信号のパターンに応じた照明制御および前記オーディオ信号の出力制御を行う、請求項６に記載の照明装置。
【請求項８】
前記照明装置は、スピーカ内蔵型の電球である、請求項６または７に記載の照明装置。
【請求項９】
前記受信部は、近傍にあるユーザの通信端末から前記照明パターンを受信する、請求項１〜８のいずれか１項に記載の照明装置。
【請求項１０】
前記受信部は、ユーザの通信端末から近接無線通信により前記照明パターンを受信する、請求項１〜８のいずれか１項に記載の照明装置。
【請求項１１】
前記制御部は、前記受信部により照明パターンを受信すると、当該照明パターンの送信者の属性に応じて、前記照明部の照明を制御する、請求項１〜１０のいずれか１項に記載の照明装置。
【請求項１２】
前記受信部は、前記照明パターンと共に前記送信者の属性を受信する、請求項１１に記載の照明装置。
【請求項１３】
前記制御部は、前記送信者を撮影した撮影画像に基づいて、前記送信者の属性を認識する、請求項１１または１２に記載の照明装置。
【請求項１４】
前記受信部は、前記照明パターンと共に課金情報を受信し、
前記制御部は、前記受信部により受信した前記課金情報に基づいて、料金支払いが行われていることを確認できた場合、前記照明パターンに応じた照明制御を行う、請求項１〜１３のいずれか１項に記載の照明装置。
【請求項１５】
前記受信部は、前記照明パターンとしてユーザの音声を受信し、
前記制御部は、前記受信部により受信した前記音声のパターンに応じて、前記照明部の照明を制御する、請求項１〜１４のいずれか１項に記載の照明装置。
【請求項１６】
前記受信部は、前記照明パターンとして映像データを受信し、
前記制御部は、前記受信部により受信した前記映像データのパターンに応じて、前記照明部の照明を制御する、請求項１〜１４のいずれか１項に記載の照明装置。
【請求項１７】
コンピュータに、
デフォルトの照明パターンに応じて、照明部の照明を制御する処理と、
受信部により照明パターンを受信する処理と、
前記受信部により照明パターンを受信すると、前記デフォルトの照明パターンに応じた照明とは異なる照明制御を行う処理、
をコンピュータに実行させるための、プログラム。
【手続補正２】
【補正対象書類名】明細書
【補正対象項目名】００４８
【補正方法】変更
【補正の内容】
【００４８】
（２−２−１．構成）
図４は、第２の実施形態による照明装置２０’の構成を説明するためのブロック図である。図４に示すように、本実施形態による照明装置２０’は、制御部２１’、スピーカ２２、照明部２３、受信部２５、記憶部２７’、および撮影部２８を有する。スピーカ２２、照明部２３、および受信部２５は、図２を参照して説明した第１の実施形態による照明装置２０の各構成と同様であるので、ここでの説明は省略する。
【手続補正３】
【補正対象書類名】明細書
【補正対象項目名】００５０
【補正方法】変更
【補正の内容】
【００５０】
図５は、第２の実施形態による属性テーブル２７１の一例を説明するための図である。図５に示すように、属性テーブル２７１は、送信者の属性と照明パターンが対応付けられたテーブルである。送信者の属性とは、例えば送信者が一人で着席している場合は「一人」、送信者を含むグループで着席している場合、グループの構成に応じて、「カップル」、「男性同士」、「女性同士」、「家族」、「その他グループ（複数の男女等）」となる。
【手続補正４】
【補正対象書類名】明細書
【補正対象項目名】００５４
【補正方法】変更
【補正の内容】
【００５４】
また、制御部２１’は、受信部２５によりユーザの通信端末１から照明パターンを受信した場合、デフォルトの照明制御とは異なる照明制御を行う。ここで、本実施形態による制御部２１’は、記憶部２７’に記憶されている属性テーブル２７１を参照し、照明パターンを送信したユーザ（送信者）の属性に応じた照明制御を行う。制御部２１’は、送信者の属性を、例えば撮影部２８により送信者を撮影した撮影画像に基づいて認識する。また、ユーザが通信端末１から自分の属性（生体情報、ユーザＩＤ、カップル、家族等）を照明パターンと共に照明装置２０’に送信する場合も想定される。この場合、制御部２１’は、受信部２５により照明パターンと共に送信者の属性を受信し、受信した属性に基づいて照明制御を行う。
【手続補正５】
【補正対象書類名】明細書
【補正対象項目名】００５６
【補正方法】変更
【補正の内容】
【００５６】
（２−２−２．動作処理）
図６は、本実施形態による照明装置２０’の動作処理を示すフローチャートである。図６に示すように、まず、ステップＳ１０３、Ｓ１０６において、照明装置２０’の制御部２１’は、デフォルトの照明制御および再生制御を行う。
【手続補正６】
【補正対象書類名】明細書
【補正対象項目名】００６０
【補正方法】変更
【補正の内容】
【００６０】
次に、ステップＳ１１５において、制御部２１’は、受信部２５がユーザの通信端末１から受信した上記オーディオ信号を、スピーカ２２から再生するよう制御する。なお、ステップＳ１１１とＳ１１５は並列して処理されてもよい。
【手続補正７】
【補正対象書類名】明細書
【補正対象項目名】００９０
【補正方法】変更
【補正の内容】
【００９０】
なお、本技術は以下のような構成も取ることができる。
（１）
照明部と、
受信部と、
デフォルトの照明パターンに応じて、前記照明部の照明を制御する制御部と、
を備え、
前記制御部は、前記受信部により照明パターンを受信すると、前記デフォルトの照明パターンに応じた照明とは異なる照明制御を行う、照明装置。
（２）
前記制御部による前記デフォルトの照明パターンに応じた前記照明部の照明制御は、他の照明部の照明制御と略同期した照明制御である、前記（１）に記載の照明装置。
（３）
前記制御部は、前記受信部により受信した照明パターンに応じて、少なくとも照明のＯＮ／ＯＦＦ、照明の色、または照明の明るさを制御する、前記（１）または（２）に記載の照明装置。
（４）
前記デフォルトの照明パターンは、予め所定の記憶媒体に記憶されている、前記（１）〜（３）のいずれか１項に記載の照明装置。
（５）
前記照明装置は、オーディオ再生部をさらに備え、
前記受信部は、オーディオ信号を受信し、
前記制御部は、前記受信部により受信した前記オーディオ信号を前記オーディオ再生部から出力させるよう制御する、前記（１）〜（４）のいずれか１項に記載の照明装置。
（６）
前記照明装置は、オーディオ再生部をさらに備え、
前記受信部は、前記照明パターンとしてオーディオ信号を受信し、
前記制御部は、前記受信部により受信した前記オーディオ信号のパターンに応じて、前記照明部の照明を制御し、さらに前記オーディオ信号を前記オーディオ再生部から出力させるよう制御する、前記（１）〜（５）のいずれか１項に記載の照明装置。
（７）
前記受信部は、前記オーディオ信号と共に課金情報を受信し、
前記制御部は、前記受信部により受信した前記課金情報に基づいて、料金支払いが行われていることを確認できた場合、前記オーディオ信号のパターンに応じた照明制御および前記オーディオ信号の出力制御を行う、前記（６）に記載の照明装置。
（８）
前記照明装置は、スピーカ内蔵型の電球である、前記（６）または（７）に記載の照明装置。
（９）
前記受信部は、近傍にあるユーザの通信端末から前記照明パターンを受信する、前記（１）〜（８）のいずれか１項に記載の照明装置。
（１０）
前記受信部は、ユーザの通信端末から近接無線通信により前記照明パターンを受信する、前記（１）〜（８）のいずれか１項に記載の照明装置。
（１１）
前記制御部は、前記受信部により照明パターンを受信すると、当該照明パターンの送信者の属性に応じて、前記照明部の照明を制御する、前記（１）〜（１０）のいずれか１項に記載の照明装置。
（１２）
前記受信部は、前記照明パターンと共に前記送信者の属性を受信する、前記（１１）に記載の照明装置。
（１３）
前記制御部は、前記送信者を撮影した撮影画像に基づいて、前記送信者の属性を認識する、前記（１１）または（１２）に記載の照明装置。
（１４）
前記受信部は、前記照明パターンと共に課金情報を受信し、
前記制御部は、前記受信部により受信した前記課金情報に基づいて、料金支払いが行われていることを確認できた場合、前記照明パターンに応じた照明制御を行う、前記（１）〜（１３）のいずれか１項に記載の照明装置。
（１５）
前記受信部は、前記照明パターンとしてユーザの音声を受信し、
前記制御部は、前記受信部により受信した前記音声のパターンに応じて、前記照明部の照明を制御する、前記（１）〜（１４）のいずれか１項に記載の照明装置。
（１６）
前記受信部は、前記照明パターンとして映像データを受信し、
前記制御部は、前記受信部により受信した前記映像データのパターンに応じて、前記照明部の照明を制御する、前記（１）〜（１４）のいずれか１項に記載の照明装置。
（１７）
コンピュータに、
デフォルトの照明パターンに応じて、照明部の照明を制御する処理と、
受信部により照明パターンを受信する処理と、
前記受信部により照明パターンを受信すると、前記デフォルトの照明パターンに応じた照明とは異なる照明制御を行う処理、
をコンピュータに実行させるための、プログラム。